(57)【要約】【課題】ヤットコなどの遠隔作業道具の先端に補助具を任意の角度で取り付けることにより、作業の状況などに適した姿勢の補助具による各種作業を実現して、遠隔作業道具の先端に補助具を効果的に利用可能に取り付けることを可能にする連結アダプタを提供すること。【解決手段】ヤットコの把持部の先端部と、このヤットコの先端部に取り付ける補助具との間に介装させる連結アダプタ１０であって、ヤットコの先端部に取り付けるヤットコ取付部３１と、補助具の取付部を取り付ける機能取付部４１と、を備えており、このヤットコ取付部と機能取付部は、コ字形状部５１内に円盤形状５２を嵌挿させて回動軸５３により回動自在に連結されることにより、ヤットコと補助具への取付方向の延長線を所望の角度で交差させる状態にすることができる。【選択図】図１
2007276071.tif 000002
【特許請求の範囲】
【請求項１】
一対の回動部材が回動軸を中心に相対的に回動して先端部が接離することにより目的物を挟むように把持する把持部、該把持部の回動部材を回動させるように操作する操作部、および、該操作部から離隔する位置に把持部を連結して当該操作部に加えられる操作力を把持部に伝達する伝達部を備える、遠隔作業道具の回動部材の先端部に各種補助具を装着する際に用いる連結アダプタであって、
遠隔作業道具の回動部材の先端部に着脱可能に取り付ける第１取付部と、各種補助具の遠隔作業道具の回動部材の先端部に装着する装着部に着脱可能に取り付ける第２取付部と、これら第１、第２取付部の間に介在して該第１取付部の遠隔作業道具の回動部材への取付方向と該第２取付部の各種補助具への取付方向の延長線を所望の角度で交差させる中間部と、を備えることを特徴とする連結アダプタ。
【請求項２】
前記中間部は、第１、第２取付部の取付方向の延長線の交差角度を変更可能に該第１、第２取付部の間に回動軸が配設されて連結されていることを特徴とする請求項１に記載の連結アダプタ。
【請求項３】
前記中間部の第１、第２取付部の一方には、該第１、第２取付部の他方に向かって進退させることのできる進退部材が配設されているとともに、当該第１、第２取付部の他方には、該進退部材を差込可能に開口する係合穴が穿孔されており、
該第１、第２取付部の他方の係合穴は、回動軸を中心とする回動円に沿う複数個所に形成されていることを特徴とする請求項２に記載の連結アダプタ。
【請求項４】
前記進退部材は、係合穴方向に常時付勢されており、該付勢力に抗する方向に牽引することにより該係合穴内から引き抜くことができることを特徴とする請求項３に記載の連結アダプタ。
【発明の詳細な説明】
【技術分野】
【０００１】
本発明は、連結アダプタに関し、詳しくは、ヤットコなどの遠隔作業道具の先端に取り付ける各種補助具の取付角度を変更することができるようにしたものに関する。
【背景技術】
【０００２】
従来より、遠隔位置の目的物を把持することのできるヤットコが知られており、このヤットコを用いて、例えば、電柱に架設されている電線付近の各種作業が行なわれている。このヤットコの先端には、その作業に適した先細部材などの補助具を取り付けることにより、容易に作業を行ない得るように工夫されている。
【０００３】
このようなヤットコとしては、例えば、図４に示すように、目的物を把持する把持部１１０と、作業者が操作する操作部１２０と、手元側の操作部１２０および先端側の把持部１１０を連結するとともにその操作部１２０からの操作力を把持部１１０に伝達して動作させる支持伝達部１３０と、を備えている。このヤットコ１００の把持部１１０は、支持伝達部１３０の支持棒１３１に固設（連結）されている不動部材（回動部材）１１１と、支持伝達部１３０の支持棒１３１に配設された回動軸１１３を中心に回動自在に支持（連結）されている可動部材（回動部材）１１２とを備えており、この可動部材１１２が不動部材１１１に対して相対的に回動することにより、それぞれの先端部１１１ａ、１１２ａが接離して、目的物を掴んだり離したりすることができる（例えば、特許文献１参照）。
【０００４】
このヤットコ１００は、例えば、図５に示すようなラジオペンチなどの先端部分などの補助具２００を、図６に示すように、把持部１１０の不動部材１１１と可動部材１１２の先端部１１１ａ、１１２ａに固定して開閉可能にするなどして、ヤットコ１００の把持部１１０に各種機能を持たせることが提案されている（例えば、特許文献２参照）。
【特許文献１】特開平１１−１９１９０６号公報
【特許文献２】特開２００３−１７０３６４号公報
【発明の開示】
【発明が解決しようとする課題】
【０００５】
しかしながら、このような従来のヤットコ１００などの遠隔作業道具にあっては、その先端に取り付ける補助具２００もヤットコ１００の把持部１１０と同一方向で開閉して作業することができるように設計されている。このため、例えば、そのヤットコ１００の把持部１１０と操作部１２０の間に絶縁性が確保されて、所謂、間接活線工法により電線周囲の作業を行なう場合に、把持部１１０の不動部材１１１と可動部材１１２の開口方向からすると、その補助具２００の有無に拘わらずに、操作部１２０を電線に接近させた姿勢で作業をしなければならない場合がある。しかるに、電線に操作部１２０を不用意に接近させてしまうと、作業者が電線に接近し過ぎてしまって、間接活線工法を採用している意味がない。
【０００６】
そこで、本発明は、ヤットコなどの遠隔作業道具の先端に補助具を任意の角度で取り付けることにより、作業の状況などに適した姿勢の補助具による各種作業を実現して、遠隔作業道具の先端に補助具を効果的に利用可能に取り付けることを可能にする連結アダプタを提供することを目的とする。
【課題を解決するための手段】
【０００７】
上記課題を解決する連結アダプタの第１の発明は、一対の回動部材が回動軸を中心に相対的に回動して先端部が接離することにより目的物を挟むように把持する把持部、該把持部の回動部材を回動させるように操作する操作部、および、該操作部から離隔する位置に把持部を連結して当該操作部に加えられる操作力を把持部に伝達する伝達部を備える、遠隔作業道具の回動部材の先端部に各種補助具を装着する際に用いる連結アダプタであって、遠隔作業道具の回動部材の先端部に着脱可能に取り付ける第１取付部と、各種補助具の遠隔作業道具の回動部材の先端部に装着する装着部に着脱可能に取り付ける第２取付部と、これら第１、第２取付部の間に介在して該第１取付部の遠隔作業道具の回動部材への取付方向と該第２取付部の各種補助具への取付方向の延長線を所望の角度で交差させる中間部と、を備えることを特徴とするものである。
【０００８】
この発明では、各種補助具の装着部と遠隔作業道具の先端部とをそれぞれの取付方向（延長線）が交差する姿勢に取り付けることができ、言い換えると、遠隔作業道具の先端部に角度を付けて各種補助具を斜めの姿勢になるように取り付けることができる。したがって、作業対象の状況に応じてこの連結アダプタを着脱することにより、遠隔作業道具の先端部と異なる姿勢に補助具を取り付けることができ、作業対象に対して適切にアプローチして各種作業を行なうことができる。
【０００９】
上記課題を解決する連結アダプタの第２の発明は、上記第１の発明の特定事項に加え、前記中間部は、第１、第２取付部の取付方向の延長線の交差角度を変更可能に該第１、第２取付部の間に回動軸が配設されて連結されていることを特徴とするものである。
【００１０】
この発明では、第１取付部と第２取付部とを回動軸を中心に相対的に回動させることができ、遠隔作業道具の先端部に各種補助具の装着部を取り付ける角度（取付方向の延長線の交差角度）を変更することができる。したがって、作業対象の状況に応じて角度を調整することができ、取付角度の異なる連結アダプタを準備することなく、遠隔作業道具の先端部に対して最適な姿勢に補助具を取り付けて各種作業を行なうことができる。
【００１１】
上記課題を解決する連結アダプタの第３の発明は、上記第２の発明の特定事項に加え、前記中間部の第１、第２取付部の一方には、該第１、第２取付部の他方に向かって進退させることのできる進退部材が配設されているとともに、当該第１、第２取付部の他方には、該進退部材を差込可能に開口する係合穴が穿孔されており、該第１、第２取付部の他方の係合穴は、回動軸を中心とする回動円に沿う複数個所に形成されていることを特徴とするものである。
【００１２】
この発明では、第１、第２取付部を相対的に回動させて、その一方側の回動円上の複数箇所の係合穴のいずれかに、他方側の進退部材を進入・係合させるだけで、遠隔作業道具の先端部に取り付ける各種補助具の装着部の取付角度を変更するとともに、その取付角度をずれてしまうことなく維持することができる。したがって、作業対象の状況に応じて遠隔作業道具の先端部に対する補助具の姿勢が最適になるように容易かつ確実に調整することができる。
【００１３】
上記課題を解決する連結アダプタの第４の発明は、上記第３の発明の特定事項に加え、前記進退部材は、係合穴方向に常時付勢されており、該付勢力に抗する方向に牽引することにより該係合穴内から引き抜くことができることを特徴とするものである。
【００１４】
この発明では、第１、第２取付部の他方側の進退部材を付勢力に抗して牽引するだけで、その一方側の係合穴内から離脱させて遠隔作業道具の先端部に取り付ける各種補助具の装着部の取付角度を変更可能にすることができ、その牽引を解除するだけで所望の係合穴内に進入・係合させてその取付角度を固定することができる。したがって、遠隔作業道具の先端部に対する補助具の姿勢をより容易に調整することができる。
【発明の効果】
【００１５】
このように本発明によれば、遠隔作業道具の先端部に対して各種補助具を斜めの姿勢になるように取り付けることができるので、この連結アダプタを着脱することにより、作業対象に応じて最適な姿勢になるように遠隔作業道具の先端部に補助具を取り付けることができ、その補助具を作業対象に対して適切にアプローチさせて各種作業を行なうことができる。したがって、遠隔作業道具に取り付けた補助具を効果的かつ安全に利用して各種作業を適切に行なうことができる。
【発明を実施するための最良の形態】
【００１６】
以下、本発明の最良の実施形態を図面に基づいて説明する。図１〜図５は本発明に係る連結アダプタの一実施形態を示す図である。
【００１７】
図１において、連結アダプタ１０は、図４に示すヤットコ（遠隔作業道具）１００の把持部１１０に、図５に示すラジオペンチの先端部分の補助具２００などを連結する構造に設計されており、その補助具２００を任意の角度で連結する状態に調整してヤットコ１００による作業を行ない得るようにする。
【００１８】
まず、ヤットコ１００は、各種の部品や材料などの目的物を掴む把持部１１０と、この把持部１１０の操作（力）を入力する操作部１２０と、これら把持部１１０および操作部１２０を離隔させる位置に支持棒１３１により連結するとともにその操作部１２０に入力された作業者による操作を伝達棒１３２により把持部１１０に伝達する支持伝達部１３０と、を備えており、このヤットコ１００は、概略全体をプラスチックやゴム材料などの絶縁材料で作製されて絶縁性が確保されている。
【００１９】
把持部１１０は、円弧形状に形成されて支持伝達部１３０の支持棒１３１の一端側に固設された不動部材１１１と、同様に円弧形状に形成されて支持伝達部１３０の伝達棒１３２の一端側に連結されるとともに不動部材１１１（支持棒１３１）側に配設された回動軸１１３を中心に回動自在に軸支されている可動部材１１２と、により構成されている。この把持部１１０は、不動部材１１１および可動部材１１２が回動軸１１３を中心に相対的に回動して互いの先端部１１１ａ、１１２ａを接離させることにより回動軸１１３との間に画成される空間内やその先端部１１１ａ、１１２ａの間に目的物を把持して掴むことができるように構築されている。
【００２０】
操作部１２０は、支持伝達部１３０の支持棒１３１の他端側に取り付ける取付具１２１と、この取付具１２１に配設された回動軸１２１ａに一端側が回動自在に軸支されているレバーハンドル１２２と、このレバーハンドル１２２と同軸となるように取付具１２１の回動軸１２１ａに一端側が回動自在に軸支されているとともに他端側が回動軸１２３ａを介して相対回動可能に支持伝達部１３０の伝達棒１３２に連結されている連結レバー１２３と、取付具１２１の回動軸１２１ａに配設されてレバーハンドル１２２の回動を連結レバー１２３に伝達するとともに支持伝達部１３０の伝達棒１３２を図４の上方（不動部材１１１および可動部材１１２の先端部１１１ａ、１１２ａ同士を離隔させる方向）に押すように付勢する不図示のバネ材料と、により構成されている。
【００２１】
これにより、ヤットコ１００は、作業者が支持伝達部１３０の支持棒１３１を掴んで支持しつつ、操作部１２０のレバーハンドル１２２をその支持棒１３１に接近させる方向に回動させると、その支持伝達部１３０の伝達棒１３２が図４の下方に引かれて把持部１１０の可動部材１１２が不動部材１１１に接近する方向に向かって回動されることにより先端部１１１ａ、１１２ａ同士を接近させることができ、目的物を把持して掴むことができる。一方、このヤットコ１００は、レバーハンドル１２２が放されて伝達棒１３２を介する操作力から解放されると、前記バネ材料の弾性力により伝達棒１３２が図４上方に押されて可動部材１１２が不動部材１１１から離隔する方向に向かって回動されることにより先端部１１１ａ、１１２ａ同士を離隔させた自然状態に戻る。
【００２２】
ここで、支持伝達部１３０の伝達棒１３２には、連結レバー１２３との連結部の近傍にスプリング１３３が介装されており、レバーハンドル１２２を回動させて伝達棒１３２を引いて可動部材１１２と不動部材１１１を接近させて目的物を把持する際には、その操作力に応じてスプリング１３３が弾性伸長することにより信頼性高く目的物を把持して掴む状態を維持することができる。また、このヤットコ１００は、把持部１１０側からの水分を滴下させる傘カバー１３４と、作業対象の電線などからの絶縁性を考慮して安全に作業を行い得る限界位置を示す傘カバー１３５とが支持伝達部１３０の支持棒１３１および伝達棒１３２に設けられている。
【００２３】
また、補助具２００は、ラジオペンチの先端部分のように先細の形状に形成された機能部２０１と、この機能部２０１の基端部側に連設されてヤットコ１００の把持部１１０の不動部材１１１および可動部材１１２の先端部１１１ａ、１１２ａに固定されて取付状態を維持する取付部２１０と、を備えている。ここで、ヤットコ１００の把持部１１０の不動部材１１１および可動部材１１２の先端部１１１ａ、１１２ａという文言を繰り返すのは、冗長すぎることから、以下では、ヤットコ１００の先端部１１１ａ、１１２ａなどと略す場合もある。
【００２４】
この補助具２００の取付部２１０は、箱型筐体部２１２内にヤットコ１００の先端部１１１ａ、１１２ａを差し込んで覆う状態にすることにより、この箱型筐体部２１２内に貫通する係合ピン２１８を引き上げてその先端を、ヤットコ１００の先端部１１１ａ、１１２ａの外面に形成されている不図示の窪みに係合させて離脱不能に取り付けることができる。なお、このヤットコ１００の先端部１１１ａ、１１２ａは、箱型筐体部２１２上面側に位置する係合ピン２１８の大径部２１８ｂを摘んで引き上げることにより取付部２１０から外すことができる。
【００２５】
そして、図１に戻って、連結アダプタ１０は、ヤットコ１００の先端部１１１ａ、１１２ａに取り付けて装着するヤットコ取付部３１と、補助具２００の取付部２１０を取り付けて装着する機能取付部４１と、を備えている。すなわち、ヤットコ１００の把持部１１０の不動部材１１１と可動部材１１２が回動部材を構成するとともに、その先端部１１１ａ、１１２ａに取り付けるヤットコ取付部３１が第１取付部を構成しており、補助具２００の装着部を構成する取付部２１０を取り付けられる機能取付部４１が第２取付部を構成している。
【００２６】
ヤットコ取付部３１は、補助具２００の取付部２１０と略同様の構造に設計されており、具体的には、ヤットコ１００の把持部１１０の先端部１１１ａ、１１２ａを差し込んで覆う箱型筐体部３２と、この箱型筐体部３２をその先端部１１１ａ、１１２ａに着脱可能に固定して取り付け状態を維持する着脱部３３と、により構成されている。
【００２７】
箱型筐体部３２は、図２に示すように、ヤットコ１００の先端部１１１ａ、１１２ａを差し込んで内装状態にするように開口する差込口３５が形成されているとともに、その差込口３５の上面側（図２（ａ）の上方）にはその先端部１１１ａ、１１２ａの両側面に形成されている不図示のリブを収装するスリット３６が形成されており、そのスリット３６の間に着脱部３３が配設されている。
【００２８】
着脱部３３は、箱型筐体部３２の上面に一体形成された円柱形状内を上下方向に貫通する貫通孔３７が穿孔されており、この貫通孔３７内に、箱型筐体部３２の内部に先端３８ａを突出させる係合ピン３８と、この係合ピン３８および貫通孔３７内面に両端部をそれぞれ固設されてその係合ピン３８の先端３８ａを箱型筐体部３２内に突出させるように付勢するスプリング（付勢手段）３９と、が収装されている。これにより、この着脱部３３は、係合ピン３８の後端側の大径部３８ｂを摘まんでスプリング３９の弾性力に抗して引き上げることにより、ヤットコ１００の先端部１１１ａ、１１２ａを箱型筐体部３２の差込口３５から差し込むことができ、その係合ピン３８の大径部３８ｂを離したときにはその先端部１１１ａ、１１２ａの外面に形成されている不図示の窪み（連結アダプタ１０の機能取付部４１の窪み４２を参照）に係合ピン３８の先端３８ａを進入（係合）させて箱型筐体部３２内から離脱してしまうことを制限して固定することができる。
【００２９】
また、この着脱部３３は、係合ピン３８の軸部側面に係止ピン３８ｃが立設される一方、貫通孔３７には、その係止ピン３８ｃを上下方向に移動可能に収装するスリット３７ａが形成されている。これにより、この係合ピン３８は、大径部３８ｂを摘まんでスリット３７ａから係止ピン３８ｃが外れるほど引き上げた後に回転させることにより、その係止ピン３８ｃを着脱部３３（円柱形状）の上面（スリット３７ａの脇）に係止させることができ、作業者が手を離しても箱型筐体部３２内にその先端３８ａが突出しない状態に保持することができる。この状態で、ヤットコ１００の先端部１１１ａ、１１２ａを箱型筐体部３２の差込口３５から容易に差し込むことができ、この後にその大径部３８ｂを逆方向に回転させて係合ピン３８の係止ピン３８ｃをスリット３７ａ内に進入させることによりその係合ピン３８の先端３８ａをヤットコ１００の先端部１１１ａ、１１２ａの外面の窪みに係合させて固定することができる。
【００３０】
一方、機能取付部４１は、先端部４１ａがヤットコ１００の先端部１１１ａ、１１２ａと略同様の寸法形状に設計されており、ヤットコ取付部３１と同一構造に覚醒された補助具２００の取付部２１０の箱型筐体部２１２内にその先端部４１ａを差込口から差し込んで内装させることができるとともに、その箱型筐体部２１２内に突出する係合ピン２１８の先端をその先端部４１ａの上面側に形成されている窪み４２内に進入・係合させて固定することができる。
【００３１】
そして、これらヤットコ取付部３１と機能取付部４１との間は、ヤットコ１００の先端部１１１ａ、１１２ａを差し込む箱型筐体部３２や補助具２００の取付部２１０を取り付ける先端部４１ａの反対側が相対回動可能な構造で連結されている。
【００３２】
具体的には、ヤットコ取付部３１は、箱型筐体部３２の差込口３５の反対側に向ってそのまま延長されており、その差込口３５内に差し込むヤットコ１００の先端部１１１ａ、１１２ａの把持面と平行な空間を画成するように切り欠かれたコ字形状部５１が形成されている。
【００３３】
これに対して、機能取付部４１は、そのヤットコ取付部３１のコ字形状部５１内に嵌挿可能な厚さに形成された円盤形状５２が先端部４１ａの反対側に一体形成されており、この円盤形状５２をヤットコ取付部３１のコ字形状部５１内に嵌挿させたときに、先端部４１ａとそのヤットコ取付部３１の箱型筐体部３２内に差し込されたヤットコ１００の先端部１１１ａ、１１２ａの把持面に相当する面が平行になるように設計されている。
【００３４】
このヤットコ取付部３１と機能取付部４１は、コ字形状部５１内に円盤形状５２を嵌挿させた状態で、その円盤形状５２の中心に回動軸５３が設けられて互いにその平面方向に相対的に回動することができるように連結されている。すなわち、このコ字形状部５１と円盤形状５２が回動軸５３によりヤットコ取付部３１と機能取付部４１とを回動自在に連結する中間部を構成している。
【００３５】
これにより、連結アダプタ１０は、ヤットコ取付部３１の箱型筐体部３２内にヤットコ１００の先端部１１１ａ、１１２ａを差し込んで取り付けるとともに、機能取付部４１の先端部４１ａを補助具２００の取付部２１０の箱型筐体部２１２内に差し込んで取り付けることができ、この状態では、ヤットコ１００の先端部１１１ａ、１１２ａが接離する方向に回動するのに合わせて補助具２００の機能部２０１同士も接離する方向に回動させることができる。同時に、この連結アダプタ１０は、ヤットコ取付部３１（コ字形状部５１）と機能取付部４１（円盤形状５２）を回動軸５３を中心にして相対回動させることができ、そのヤットコ１００の先端部１１１ａ、１１２ａの延在方向に対して角度を付けた状態で補助具２００の機能部２０１を延在するように回動させることができる（それぞれの延長線が交差する状態にすることができる）。
【００３６】
また、ヤットコ取付部３１のコ字形状部５１の上面側には、ヤットコ１００の先端部１１１ａ、１１２ａの取り付け状態を維持する着脱部３３と同様に構成された設定部６１が配置されている。この設定部６１は、図３に示すように、着脱部３３と同様の内部構成には同一の符号を用いて簡単に説明すると、コ字形状部５１内に貫通する貫通孔３７内に収装された係合ピン３８がその先端３８ａをそのコ字形状部５１内に突出させる方向にスプリング３９により付勢されている。
【００３７】
これに対して、機能取付部４１の円盤形状５２には、回動軸５３を中心とする回動円上の複数箇所に、そのヤットコ取付部３１のコ字形状部５１内に突出する設定部６１の係合ピン３８の先端３８ａが進入して係合する窪み５４が配設されている。すなわち、ヤットコ取付部３１のコ字形状部５１内に突出するように進退可能な設定部６１の係合ピン３８が進退部材を構成して、その設定部６１の係合ピン３８の先端３８ａが進入して係合する窪み５４が係合穴を構成している。
【００３８】
これにより、連結アダプタ１０は、機能取付部４１の円盤形状５２が嵌挿されているヤットコ取付部３１のコ字形状部５１内に、そのヤットコ取付部３１の設定部６１の係合ピン３８がスプリング３９の付勢力により突出して、その円盤形状５２の窪み５４内に進入・係合されることにより、ヤットコ取付部３１のコ字形状部５１内で機能取付部４１の円盤形状５２が回動軸５３を中心にして自由に相対回動してしまうことを禁止することができ、ヤットコ取付部３１に取り付けたヤットコ１００の先端部１１１ａ、１１２ａに対して機能取付部４１に取り付けた補助具２００の機能部２０１が延在する方向（取付角度）を任意に設定することができる。
【００３９】
反対に、この連結アダプタ１０は、ヤットコ取付部３１の設定部６１の係合ピン３８の大径部３８ｂを摘まんでスプリング３９の付勢力に抗して引き上げることにより、機能取付部４１の円盤形状５２がヤットコ取付部３１のコ字形状部５１内で相対回動することを許容することができ、ヤットコ取付部３１に取り付けたヤットコ１００の先端部１１１ａ、１１２ａに対して機能取付部４１に取り付けた補助具２００の機能部２０１が延在する方向を所望の角度に変更することができる。そして、そのヤットコ取付部３１の設定部６１の係合ピン３８の大径部３８ｂを離すだけでその係合ピン３８の先端３８ａをコ字形状部５１内の円盤形状５２の窪み５４のいずれかに進入・係合させることができ、ヤットコ取付部３１に取り付けたヤットコ１００の先端部１１１ａ、１１２ａに対して機能取付部４１に取り付けた補助具２００の機能部２０１が延在する方向を固定（設定）することができる。
【００４０】
したがって、ヤットコ１００の把持部１１０の先端部１１１ａ、１１２ａに所望の角度を付けて補助具２００を取り付けることができ、例えば、その補助具２００の機能部２０１を電線に沿わせる姿勢にして開閉させて作業することができる。このため、ヤットコ１００を操作する操作部１２０を電線に接近させる姿勢を取ることなく、間接活線工法による電線周囲の作業を行なうことができる。
【００４１】
ここで、このヤットコ取付部３１の設定部６１は、着脱部３３と同様に、係合ピン３８に係止ピン３８ｃが立設されているとともに、貫通孔３７にスリット３７ａが形成されており、係合ピン３８の大径部３８ｂを摘まんで引き上げるとともに回転させることによりスリット３７ａから係止ピン３８ｃを外して設定部６１の上面（スリット３７ａの脇）に係止させることができ、作業者が手を離してもコ字形状部５１内にその先端３８ａが突出しない状態に保持しつつヤットコ１００の先端部１１１ａ、１１２ａに対する補助具２００の機能部２０１の延在角度を任意に変更した後に、その大径部３８ｂを逆方向に回転させて係合ピン３８の係止ピン３８ｃをスリット３７ａ内に進入させることによりその係合ピン３８の先端３８ａをコ字形状部５１内の機能取付部４１の円盤形状５２の窪み５４のいずれかに進入・係合させて固定することができる。
【００４２】
このように本実施形態においては、ヤットコ１００の先端部１１１ａ、１１２ａに連結アダプタ１０を着脱するだけで補助具２００を所望の角度の姿勢で連結して取り付けた状態にすることができ、ヤットコ１００の先端部１１１ａ、１１２ａの補助具２００を作業する状況に応じた最適な姿勢にして適切にアプローチ可能にすることができる。したがって、ヤットコ１００と補助具２００を効果的かつ安全に利用して、間接活線工法による各種作業を適切に行なうことができる。
【００４３】
この本実施形態の他の態様としては、上述する実施形態では、ヤットコ取付部３１の着脱部３３や設定部６１と補助具２００の取付部２１０は、係合ピン３８、２１８の大径部３８ｂ、２１８ｂを摘んで牽引することにより窪みに進入・係合させる構成を採用するがこれに限るものではなく、例えば、蝶ネジを設けて、その先端を窪み内に進入・係合させる構成を採用しても良い。この場合にも、上述実施形態と同様の作用効果を得ることができる。
【産業上の利用可能性】
【００４４】
これまで本発明の一実施形態について説明したが、本発明は上述の実施形態に限定されず、その技術的思想の範囲内において種々異なる形態にて実施されてよいことは言うまでもない。
【図面の簡単な説明】
【００４５】
【図１】本発明に係る連結アダプタの一実施形態の概略全体構成を示す図であり、（ａ）はその平面図、（ｂ）はその側面図である。
【図２】その連結アダプタの要部構成の一部を示す図であり、（ａ）はその斜視図、（ｂ）はその縦断面図、（ｃ）は一部分の横断面図である。
【図３】その連結アダプタの要部構成の一部を示す縦断面図である。
【図４】その連結アダプタを連結する遠隔作業道具を示す平面図である。
【図５】その連結アダプタにより遠隔作業道具に連結する補助具の一例を示す斜視図である。
【図６】その遠隔作業道具に補助具の一例を直接取り付けた場合を示す一部拡大平面図である。
【符号の説明】
【００４６】
１０……連結アダプタ    ３１……ヤットコ取付部    ３２、２１２……箱型筐体部    ３３……着脱部    ３５……差込口    ３８、２１８……係合ピン    ３８ａ……先端    ３８ｂ、２１８ｂ……大径部    ３９……スプリング    ４１……機能取付部    ４１ａ……先端部    ４２、５４……窪み    ５１……コ字形状部    ５２……円盤形状    ５３……回動軸    ６１……設定部    １００……ヤットコ    １１０……把持部    １１１ａ、１１２ａ……先端部    １１１……不動部材    １１２……可動部材    １２０……操作部    １２２……レバーハンドル    １３０……支持伝達部    １３１……支持棒    １３２……伝達棒    １３４、１３５……傘カバー    ２００……補助具    ２０１……機能部    ２１０……取付部
【図１】
2007276071.tif 000003
【図２】
2007276071.tif 000004
【図３】
2007276071.tif 000005
【図４】
2007276071.tif 000006
【図５】
2007276071.tif 000007
【図６】
2007276071.tif 000008